(57)【要約】【課題】加飾部分が蓋体から部分的にでも剥がれたり、また脱落したりすることがないという要請に応えることができ、かつまた購買者が好みに応じて外観を選ぶことができる自由度を高めることが可能な化粧料容器を提供する。【解決手段】蓋体６にこれを覆って交換可能に設けられる交換用カバー７と、交換用カバー７に形成された係合部１８と、交換用カバーから突出させて設けられた押し上げ片１７と、蓋体に形成され、係合部に上下方向へ係脱自在に係合される被係合部２３と、蓋体にヒンジブロック１３へわたって上下方向に形成され、押し上げ片が挿抜自在に挿入される縦スリット２１と、ヒンジブロックに縦スリットと連通させて水平方向に形成され、交換用カバーを蓋体に対して押し上げるべく、押し上げ片を縦スリットに沿って押し上げ操作するための横スリット２２とを備えた。【選択図】          図１
2004154284.tif 000002
【特許請求の範囲】
【請求項１】
容器本体を開閉する蓋体に、これより一体的に垂下させて当該蓋体を該容器本体に回動自在に連結するヒンジ部を設けた化粧料容器において、
上記蓋体にこれを覆って交換可能に設けられる交換用カバーと、該交換用カバーに形成された係合部と、上記交換用カバーから突出させて設けられた押し上げ片と、上記蓋体に形成され、上記係合部に上下方向へ係脱自在に係合される被係合部と、上記蓋体に上記ヒンジ部へわたって上下方向に形成され、上記押し上げ片が挿抜自在に挿入される縦スリットと、上記ヒンジ部に上記縦スリットと連通させて水平方向に形成され、上記交換用カバーを上記蓋体に対して押し上げるべく、上記押し上げ片を該縦スリットに沿って押し上げ操作するための横スリットとを備えたことを特徴とする化粧料容器。
【請求項２】
前記係合部が、前記交換用カバーの前記押し上げ片に形成されていることを特徴とする請求項１に記載の化粧料容器。
【請求項３】
前記横スリットが、前記縦スリットに挿入された前記押し上げ片の直下に向かって傾斜された傾斜面を備えていることを特徴とする請求項１または２に記載の化粧料容器。
【発明の詳細な説明】
【０００１】
【発明の属する技術分野】
本発明は、加飾部分が蓋体から部分的にでも剥がれたり、また脱落したりすることがないという要請に応えることができ、かつまた購買者が好みに応じて外観を選ぶことができる自由度を高めることが可能な化粧料容器に関する。
【０００２】
【従来の技術】
一般に化粧料容器は、化粧料を収納する容器本体と、この容器本体を開いたり閉じたりする蓋体とを備えて構成されている。そして化粧料容器の外観をなすこれら容器本体や蓋体に対しては、そのデザイン性を高めるために、従来からさまざまな方法によって加飾が施されている。例えば、スパッタリングなどによって表面処理を行ったり、転写シートを用いて文字や模様などを転写したり、あるいは模様などを付した上に透明・半透明の層を重ねたりするなどして、容器本体や蓋体に装飾を施すようにしていた。
【０００３】
なお、本願出願人は、関連する先行出願として、特願２００１−２４９０００を出願している。
【０００４】
【発明が解決しようとする課題】
ところで、従来の化粧料容器にあっては、製品としての化粧料容器を高級感溢れる高い品質で提供するという目的で、加飾部分が容器本体や蓋体から部分的にでも剥がれたり、また脱落したりすることがないように、上記いずれの加飾方法にあっても、容器本体や蓋体に対し加飾部分が一体不可分となるように互いに分離不能に一体的に形成しなければならないという要請があった。
【０００５】
このような要請は反面、化粧料容器の外観が生産者の選定したデザインに限定されることを意味し、購買者が化粧料容器の意匠的外観を、好みに応じて自由に選べるようにすることを妨げていた。このため、購買者は気に入ったデザインの化粧料容器を見つけることができず、これが買い控えの一因になっていたと考えられる。
【０００６】
本発明は上記従来の課題に鑑みて創案されたものであって、特に蓋体に対して、加飾部分が部分的にでも剥がれたり、また脱落したりすることがないという要請に応えることができ、かつまた購買者が好みに応じて外観を選ぶことができる自由度を高めることが可能な化粧料容器を提供することを目的とする。
【０００７】
【課題を解決するための手段】
本発明にかかる化粧料容器は、容器本体を開閉する蓋体に、これより一体的に垂下させて当該蓋体を該容器本体に回動自在に連結するヒンジ部を設けた化粧料容器において、上記蓋体にこれを覆って交換可能に設けられる交換用カバーと、該交換用カバーに形成された係合部と、上記交換用カバーから突出させて設けられた押し上げ片と、上記蓋体に形成され、上記係合部に上下方向へ係脱自在に係合される被係合部と、上記蓋体に上記ヒンジ部へわたって上下方向に形成され、上記押し上げ片が挿抜自在に挿入される縦スリットと、上記ヒンジ部に上記縦スリットと連通させて水平方向に形成され、上記交換用カバーを上記蓋体に対して押し上げるべく、上記押し上げ片を該縦スリットに沿って押し上げ操作するための横スリットとを備えたことを特徴とする。これにより、加飾部分が蓋体から部分的にでも剥がれたり、また脱落したりすることがないという要請に応えることができ、かつまた購買者が好みに応じて外観を選ぶことができる自由度を高めることが可能となる。
【０００８】
また、前記係合部が、前記交換用カバーの前記押し上げ片に形成されていることを特徴とする。これにより、化粧料容器の大きさをコンパクトに維持することが可能となる。
【０００９】
さらに、前記横スリットが、前記縦スリットに挿入された前記押し上げ片の直下に向かって傾斜された傾斜面を備えていることを特徴とする。これにより、傾斜面を利用して押し上げ片を操作することが可能となり、交換用カバーを交換する際の操作性が向上する。
【００１０】
【発明の実施の形態】
以下に、本発明にかかる化粧料容器の好適な一実施形態を、添付図面を参照して詳細に説明する。本実施形態にかかる化粧料容器１は図１〜図４に示すように、収納凹部２が形成された皿状の合成樹脂製容器本体３と、容器本体３の前後方向後端にヒンジ４を介して上下方向へ回動自在に連結されて容器本体３を開閉するとともに、容器本体３の前端にフック５を介して係脱自在に係合されて当該容器本体３の閉止状態を維持する板体状の合成樹脂製の蓋体６と、蓋体６に着脱自在に設けられ、交換可能に蓋体６を覆う板体状の合成樹脂製の交換用カバー７とから主に構成される。
【００１１】
図示例にあっては、これら容器本体３、蓋体６、並びに交換用カバー７は平面外形輪郭が矩形状に形成されるけれども、多角形状や円形状であってもよい。蓋体６の裏面には、鏡８が取り付けられている。
【００１２】
フック５は、容器本体３の前端に形成された凹所９内に突設されたフック用突起１０と、蓋体６の前端から垂下されてフック用突起１０に係脱自在に係合されるフック片１１とから構成される。またヒンジ４は、容器本体３の後端から一対突設されたヒンジ片１２間に、蓋体６の後端から一体的に垂下させたヒンジ部としてのヒンジブロック１３が挟み込まれ、さらにこれらヒンジブロック１３からヒンジ片１２にわたって形成したピン穴１４に、ヒンジピンが挿入されることで構成され、ヒンジブロック１３は、ヒンジピンによりヒンジ片１２を介して容器本体３に回動自在に連結される。
【００１３】
交換用カバー７は、化粧料容器１、本実施形態にあっては蓋体６の意匠的外観を購買者が好みに応じて自由に選べるように、各種のさまざまな加飾が施されたものが用意されるようになっている。これら交換用カバー７に施される加飾部分は、部分的にでも剥がれたり、また脱落したりすることがないように、交換用カバー７に対し一般周知の方法によって、一体不可分に分離不能に一体的に形成される。交換用カバー７は、その外形輪郭が容器本体３の外形輪郭と一致するようにほぼ同じ外形寸法で形成され、蓋体６の上にこれを覆って重ね合わされる。交換用カバー７の材質は合成樹脂製に限らず、金属製であってもよい。
【００１４】
交換用カバー７には、その外周縁から蓋体６側に垂下させて環状の垂下部１５が形成される。フック５側に位置する垂下部１５には、容器本体３の左右幅方向に適宜間隔を隔てて、交換用カバー７の下面７ａ側へ折り返すことで係合突部１６が形成される。また、交換用カバー７の下面７ａには、ヒンジブロック１３直上位置から下方へ突出させて、板状ないしはロッド状の押し上げ片１７が設けられる。この押し上げ片１７の下端には、これより蓋体６の前後方向前方へ突出させて係合部１８が形成される。
【００１５】
他方、蓋体６には、その外周壁６ａから外方へ突出させて、交換用カバー７の垂下部１５が載置される環状のフランジ部１９が形成される。またフック５側に位置する外周壁６ａにはこれを窪ませることで、交換用カバー７の係合突部１６が係脱自在に係合される係合凹部２０が形成される。そして、交換用カバー７を蓋体６のフック５側から装着することにより、係合突部１６が係合凹部２０に挿入されて互いに係脱自在に係合されるようになっている。
【００１６】
また、蓋体６にはヒンジブロック１３へわたって上下方向に、押し上げ片１７が挿抜自在に挿入される縦スリット２１が形成されるとともに、ヒンジブロック１３には、縦スリット２１と連通させて水平方向に横スリット２２が形成され、これら縦スリット２１および横スリット２２によりヒンジブロック１３には、Ｌ字状の通孔が形成される。縦スリット２１内には、その内面から蓋体６の前後方向後方へ押し上げ片１７の係合部１８に向かって突出させて、当該係合部１８と上下方向に係脱自在に係合される被係合部２３が形成される。そして、これら被係合部２３と係合部１８とは、押し上げ片１７が縦スリット２１内に挿入されて、係合部１８が被係合部２３を乗り越えることによって互いに係脱自在に係合されるようになっている。
【００１７】
特に、図２および図４に示すようにこれら被係合部２３および係合部１８の上向き面１８ｕ，２３ｕおよび下向き面１８ｄ，２３ｄは、ともに上下方向に傾斜させて形成される。そして、押し上げ片１７の下降に伴って係合部１８が被係合部２３を乗り越える際、また被係合部２３の下側に位置して係合状態にある係合部１８が押し上げ片１７の上昇に伴って被係合部２３を乗り上げる際のいずれにあっても、互いに向かい合う係合部１８の下向き面１８ｄと被係合部２３の上向き面２３ｕ、そしてまた係合部１８の上向き面１８ｕと被係合部２３の下向き面２３ｄがそれぞれともに上下方向に傾斜されていることにより、これら係合部１８および被係合部２３の上下方向への係脱がスムーズに行われるようになっている。
【００１８】
横スリット２２は、交換用カバー７を蓋体６に対して押し上げるべく、押し上げ片１７を縦スリット２１に沿って押し上げ操作するために備えられ、縦スリット２１内に挿入された押し上げ片１７の下端が達する位置において当該縦スリット２１と連通される。そしてこの横スリット２２には、押し上げ片１７を押し上げ操作するためのコインなどの押し上げ操作具Ｐが挿入されるようになっている。具体的には、押し上げ片１７の下端と横スリット２２の底面２２ａとの間には、押し上げ操作具Ｐを押し上げ片１７直下に挿入するための隙間Ｇが形成されている。
【００１９】
本実施形態にかかる化粧料容器１の作用について説明すると、化粧料容器１を購入した購買者が蓋体６に装着されている交換用カバー７を、他のデザインの新たな交換用カバー７に交換する際には、図１に示すようにヒンジブロック１３内で係合部１８が被係合部２３と係合している押し上げ片１７の直下に向かって、横スリット２２内に押し上げ操作具Ｐを挿入する。そして、横スリット２２の底面２２ａに反力をとって押し上げ操作具Ｐを押し下げると、これによって押し上げ片１７は図３に示すように、縦スリット２１内で僅かに可撓変形されつつ押し上げられる。この押し上げ操作に伴って係合部１８は、被係合部２３直下から引き出されつつ当該被係合部２３の上に乗り上げ、その後さらに被係合部２３を乗り越えることとなり、これにより交換用カバー７は図４に示すように、蓋体６から跳ね上げられるようにして分離される。
【００２０】
その後は、交換用カバー７を蓋体６の水平方向前方へ押し出せば、係合突部１６を係合凹部２０から離脱させることができ、これにより交換用カバー７を蓋体６から取り外すことができる。
【００２１】
次いで、新たな交換用カバー７を蓋体６に装着する際には、蓋体６前端側において係合突部１６を係合凹部２０に差し入れて係合させる一方で、蓋体６後端側においては、押し上げ片１７を縦スリット２１内に挿入してそのまま交換用カバー７を蓋体６に向かって押し付ければ、押し上げ片１７の僅かな可撓変形を伴って係合部１８は被係合部２３を乗り越えて係合し、これにより新しい交換用カバー７を蓋体６に重ね合わせて取り付けることができる。
【００２２】
以上説明したように本実施形態にかかる化粧料容器１にあっては、蓋体６にこれを覆って交換可能に設けられる交換用カバー７と、交換用カバー７に形成された係合部１８と、交換用カバー７から突出させて設けられた押し上げ片１７と、蓋体６に形成され、係合部１８に上下方向へ係脱自在に係合される被係合部２３と、蓋体６にヒンジブロック１３へわたって上下方向に形成され、押し上げ片１７が挿抜自在に挿入される縦スリット２１と、ヒンジブロック１３に縦スリット２１と連通させて水平方向に形成され、交換用カバー７を蓋体６に対して押し上げるべく、押し上げ片１７を縦スリット２１に沿って押し上げ操作するための横スリット２２とを備えたので、化粧料容器１の外観が生産者の選定したデザインに限定されることがなく、化粧料容器１として、購買者が好みに応じて外観を自由度高く選ぶことができ、これにより購買意欲を高め得るものとすることができる。
【００２３】
また、交換用カバー７としては、従来の蓋体などと同様に、加飾部分を一体不可分に互いに分離不能に一体的に形成すればよく、従って加飾部分が交換用カバー７から部分的にでも剥がれたり、また脱落したりすることがなくて、製品としての化粧料容器１を、従来と遜色のない高級感溢れる高い品質で提供することができる。
【００２４】
また、互いに係脱自在に係合される係合部１８および被係合部２３の上向き面１８ｕ，２３ｕおよび下向き面１８ｄ，２３ｄを上下方向に傾斜させて形成したので、蓋体６に対する交換用カバー７の押し付け操作や、押し上げ片１７を押し上げる横スリット２２からの押し上げ操作による係脱作業を円滑化することができ、簡単に交換用カバー７の交換を行うことができる。
【００２５】
また、係合部１８を交換用カバー７の押し上げ片１７に一体的に形成したので、係合部１８を別の箇所に形成する場合よりも、交換用カバー７の交換操作に要するスペースを削減することができ、化粧料容器１の大きさをコンパクトに維持することができる。また、ヒンジブロック１３を利用してこれに縦スリット２１および横スリット２２を形成するようにしていて、この面からも、交換用カバー７の交換操作のために化粧料容器１の外形寸法が大きくなってしまうことを防止することができる。また、縦スリット２１を交換用カバー７に覆われる蓋体６に形成し、横スリット２２をヒンジブロック１３に形成するようにしたので、交換操作に利用されるこれらスリット２１，２２が目立つことはなく、化粧料容器１の外観を良好に保つことができる。
【００２６】
図５および図６には、上記実施形態の変形例が示されている。この変形例では、横スリット２２の底面２２ａが、縦スリット２１に挿入された押し上げ片１７の直下に向かって横スリット２２の奥にいくに従って、上方から下方へ向かって傾斜された傾斜面で形成されている。これにより、横スリット２２に差し込まれつつヒンジブロック１３の外方に露出される押し上げ操作具Ｐは、押し上げ片１７を押し上げるための押し下げ操作に便利な斜め上向きとされ、操作性良好に交換用カバー７を蓋体６から取り外すことができる。このような変形例にあっても、上記実施形態と同様の作用・効果を奏することはもちろんである。
【００２７】
図７および図８には、さらに他の変形例が示されている。この変形例では、係合部１８が交換用カバー７の垂下部１５に形成されるとともに、被係合部２３が蓋体６の外周壁６ａに形成されている。この変形例にあっても、縦スリット２１内の押し上げ片１７を、横スリット２２に挿入した押し上げ操作具Ｐの押し下げ操作で押し上げれば、上記実施形態や変形例と同様に、交換用カバー７を蓋体６から交換可能に取り外すことができ、上記実施形態等とほぼ同様の作用・効果を得ることができる。殊にこの変形例にあっては、ヒンジブロック１３の縦スリット２１内に被係合部２３を形成する必要がないので、蓋体６の成形金型を簡略化することができる。図示例にあっては、係合部１８および被係合部２３を蓋体６の後端側に備える場合を示したが、蓋体６の左右幅方向に形成しても良いことはもちろんである。
【００２８】
【発明の効果】
以上要するに、本発明にかかる化粧料容器にあっては、加飾部分が蓋体から部分的にでも剥がれたり、また脱落したりすることがないという要請に応えることができ、かつまた購買者が好みに応じて外観を選ぶことができる自由度を高めることができる。
【図面の簡単な説明】
【図１】本発明にかかる化粧料容器の好適な一実施形態を示す側断面図である。
【図２】図１の化粧料容器の分解斜視断面図である。
【図３】図１の化粧料容器において、交換用カバーを取り外す最初の段階を示すヒンジブロック周辺の部分拡大側断面図である。
【図４】図１の化粧料容器において、交換用カバーを取り外す最後の段階を示すヒンジブロック周辺の部分拡大側断面図である。
【図５】本発明にかかる化粧料容器の変形例を示す、ヒンジブロック周辺の部分拡大側断面図である。
【図６】図５の化粧料容器のヒンジブロック周辺を示す、部分拡大分解斜視断面図である。
【図７】本発明にかかる化粧料容器の他の変形例を示す、ヒンジブロック周辺の部分拡大側断面図である。
【図８】図７の化粧料容器のヒンジブロック周辺を示す、部分拡大分解斜視断面図である。
【符号の説明】
１  化粧料容器                      ３  容器本体
６  蓋体                                                      ７  交換用カバー
１３  ヒンジブロック                            １７  押し上げ片
１８  係合部                                          ２１  縦スリット
２２  横スリット                                  ２２ａ  横スリットの底面
２３  被係合部
【図１】
2004154284.tif 000003
【図２】
2004154284.tif 000004
【図３】
2004154284.tif 000005
【図４】
2004154284.tif 000006
【図５】
2004154284.tif 000007
【図６】
2004154284.tif 000008
【図７】
2004154284.tif 000009
【図８】
2004154284.tif 000010